(57)【要約】【課題】  色安定性に優れるとともに、フェザリングが有効に抑制された画像を記録し得る水性インクなどの提供。【解決手段】  染料、水溶性有機溶剤、及び水を含有するインクジェット用の水性インクであって、前記染料が、特定のポリアゾ化合物を含み、前記水溶性有機溶剤、及び前記水で構成される水性媒体の表面張力γ０が、４６．０ｍＮ／ｍ以下であり、前記水性媒体の表面張力γ０及び前記水性インクの表面張力γＳの差が、７．０ｍＮ／ｍ以下であることを特徴とする水性インク。【選択図】  なし【特許請求の範囲】
【請求項１】
染料、水溶性有機溶剤、及び水を含有するインクジェット用の水性インクであって、
前記染料が、下記一般式（１）で表される化合物を含み、
前記水溶性有機溶剤、及び前記水で構成される水性媒体の表面張力γ０が、４６．０ｍＮ／ｍ以下であり、
前記水性媒体の表面張力γ０及び前記水性インクの表面張力γＳの差が、７．０ｍＮ／ｍ以下であることを特徴とする水性インク。
【化１】
2020196773.tif 000022
（前記一般式（１）中、Ｒ１、Ｒ２、及びＲ３はそれぞれ独立に芳香環を表し、Ｒ４は、芳香環、又は複数の芳香環がアゾ結合で連結された基を表し、Ｒ１、Ｒ２、Ｒ３、及びＲ４における芳香環はそれぞれ独立に、ハロゲン原子、シアノ基、ヒドロキシ基、アニオン性基、アミノ基、スルファモイル基、アルキルアミノスルホニル基、アルキルスルホニル基、ニトロ基、アシル基、ウレイド基、アルキル基、アルコキシ基、アシルアミノ基、及びアルキルスルホニルアミノ基からなる群より選択される少なくとも１種の置換基により置換されていてもよい。）
【請求項２】
前記水溶性有機溶剤が、アルカンジオールを含む請求項１に記載の水性インク。
【請求項３】
前記水溶性有機溶剤が、ＬｏｇＰ値が−０．５６以上である第１水溶性有機溶剤を含む請求項１又は２に記載の水性インク。
【請求項４】
第１水溶性有機溶剤の含有量（質量％）が、前記染料の含有量（質量％）に対する質量比率で、０．２０倍以上１．００倍以下である請求項３に記載の水性インク。
【請求項５】
前記染料が、下記一般式（２）で表される化合物である請求項１乃至４のいずれか１項に記載の水性インク。
【化２】
2020196773.tif 000023
（前記一般式（２）中、Ｒ５は、ハロゲン原子、シアノ基、ヒドロキシ基、アニオン性基、アミノ基、スルファモイル基、アルキルアミノスルホニル基、アルキルスルホニル基、ニトロ基、アシル基、ウレイド基、アルキル基、アルコキシ基、アシルアミノ基、又はアルキルスルホニルアミノ基を表し、Ｒ６は、水素原子、又はスルホン酸基を表し、ｎは、０又は１を表し、Ｍはそれぞれ独立に、水素原子、アルカリ金属、アンモニウム、又は有機アンモニウムを表し、Ｒ７は、芳香環を表し、前記芳香環は、ハロゲン原子、シアノ基、ヒドロキシ基、アニオン性基、アミノ基、スルファモイル基、アルキルアミノスルホニル基、アルキルスルホニル基、ニトロ基、アシル基、ウレイド基、アルキル基、アルコキシ基、アシルアミノ基、及びアルキルスルホニルアミノ基からなる群より選択される少なくとも１種の置換基により置換されていてもよい。）
【請求項６】
前記染料が、下記一般式（３）で表される化合物である請求項１乃至５のいずれか１項に記載の水性インク。
【化３】
2020196773.tif 000024
（前記一般式（３）中、Ｒ５は、ハロゲン原子、シアノ基、ヒドロキシ基、アニオン性基、アミノ基、スルファモイル基、アルキルアミノスルホニル基、アルキルスルホニル基、ニトロ基、アシル基、ウレイド基、アルキル基、アルコキシ基、アシルアミノ基、又はアルキルスルホニルアミノ基を表し、Ｒ６及びＲ８はそれぞれ独立に、水素原子、又はスルホン酸基を表し、ｎは、０又は１を表し、Ｍはそれぞれ独立に、水素原子、アルカリ金属、アンモニウム、又は有機アンモニウムを表す。）
【請求項７】
インクと、前記インクを収容するインク収容部とを備えたインクカートリッジであって、
前記インクが、請求項１乃至６のいずれか１項に記載の水性インクであることを特徴とするインクカートリッジ。
【請求項８】
インクをインクジェット方式の記録ヘッドから吐出して記録媒体に画像を記録するインクジェット記録方法であって、
前記インクが、請求項１乃至６のいずれか１項に記載の水性インクであることを特徴とするインクジェット記録方法。
【発明の詳細な説明】
【技術分野】
【０００１】
本発明は、水性インク、インクカートリッジ、及びインクジェット記録方法に関する。
【背景技術】
【０００２】
インクジェット記録方法は、インク小滴を記録媒体に付与して画像を記録する記録方法であり、低価格化、記録速度の向上により、急速に普及が進んでいる。主に家庭などで利用される小型のインクジェット記録装置には、染料を色材とするインクが利用されることが多い。
【０００３】
染料インクで光沢紙などのコート層を有する記録媒体に画像を記録すると、記録してから色調が安定するまでにある程度時間を要する場合がある。このような現象が生ずるインクは「色安定性」が低く、改善が要求されている。特許文献１には、特定のマゼンタ染料を組み合わせて使用することで、色安定性を向上しうることが記載されている。
【０００４】
水不溶性の色材である顔料と異なり、染料は水溶性の色材であるため、染料インクで記録される画像は、顔料インクで記録される画像と比較して、光やオゾンガスなどへの耐性が劣るという課題がある。特許文献２〜５では、染料構造を工夫したり、併用する水溶性有機溶剤を工夫したりというアプローチにより、画像の堅牢性を高めることが提案されている。
【０００５】
また、上述の通り、染料は水溶性の色材であるので、記録媒体へのインクの濡れ広がりに伴って染料も滲みやすい。このため、染料インクで普通紙などのコート層を有しない記録媒体に画像を記録すると、染料が不均一に滲みやすく、画像のエッジ部分がギザギザして見える「フェザリング」が生じやすい。特許文献６には、染料インクの表面張力を調整することによって、記録媒体へのインクの濡れ広がりなどをコントロールすることが提案されている。また、特許文献７には、所定の記録ヘッドに適用する水性インクの表面張力を調整することが記載されている。
【先行技術文献】
【特許文献】
【０００６】
【特許文献１】特開２００９−２９９０２７号公報
【特許文献２】国際公開第２００６／０５１８５０号
【特許文献３】国際公開第２００５／０９７９１２号
【特許文献４】特開２００８−３０８６６６号公報
【特許文献５】特開２００９−２８７００３号公報
【特許文献６】特開２０１５−１８３０９４号公報
【特許文献７】特開２０１５−１９３７９２号公報
【発明の概要】
【発明が解決しようとする課題】
【０００７】
本発明者らの検討の結果、特許文献１に記載されたインクによれば、画像の色調が安定するまでの時間を数十分程度にまで短縮することはできているものの、記録から５分程度では安定せず、改善の余地があることがわかった。また、特許文献６及び７に記載されているように表面張力を調整しても、フェザリングの抑制の程度には改善の余地があることがわかった。特に、特許文献２〜５に記載されているような、ブラックの染料を含有するインクとする場合、色安定性の向上、及びフェザリングの抑制に関し、より高い性能が要求される。
【０００８】
したがって、本発明の目的は、色安定性に優れるとともに、フェザリングが有効に抑制された画像を記録し得る水性インク、及びこれを用いたインクカートリッジ、インクジェット記録方法を提供することにある。
【課題を解決するための手段】
【０００９】
上記の目的は、以下の本発明によって達成される。すなわち、本発明にかかる水性インクは、染料、水溶性有機溶剤、及び水を含有するインクジェット用の水性インクであって、前記染料が、下記一般式（１）で表される化合物を含み、前記水溶性有機溶剤、及び前記水で構成される水性媒体の表面張力γ０が、４６．０ｍＮ／ｍ以下であり、前記水性媒体の表面張力γ０及び前記水性インクの表面張力γＳの差が、７．０ｍＮ／ｍ以下であることを特徴とする。
Ｒ１−Ｎ＝Ｎ−Ｒ２−Ｎ＝Ｎ−Ｒ３−Ｎ＝Ｎ−Ｒ４  ・・・  （１）
（前記一般式（１）中、Ｒ１、Ｒ２、及びＲ３はそれぞれ独立に芳香環を表し、Ｒ４は、芳香環、又は複数の芳香環がアゾ結合で連結された基を表し、Ｒ１、Ｒ２、Ｒ３、及びＲ４における芳香環はそれぞれ独立に、ハロゲン原子、シアノ基、ヒドロキシ基、アニオン性基、アミノ基、スルファモイル基、アルキルアミノスルホニル基、アルキルスルホニル基、ニトロ基、アシル基、ウレイド基、アルキル基、アルコキシ基、アシルアミノ基、及びアルキルスルホニルアミノ基からなる群より選択される少なくとも１種の置換基により置換されていてもよい。）
【発明の効果】
【００１０】
本発明によれば、色安定性に優れるとともに、フェザリングが有効に抑制された画像を記録し得る水性インク、及びこれを用いたインクカートリッジ、インクジェット記録方法を提供することができる。
【図面の簡単な説明】
【００１１】
【図１】本発明のインクカートリッジの一実施形態を模式的に示す断面図である。
【図２】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【００１２】
以下に、好ましい実施の形態を挙げて、さらに本発明を詳細に説明する。本発明においては、化合物が塩である場合は、インク中では塩はイオンに解離して存在しているが、便宜上、「塩を含有する」と表現する。また、インクジェット用の水性インクのことを、単に「インク」と記載することがある。物性値は、特に断りのない限り、常温（２５℃）、常圧（１気圧）、常湿（相対湿度５０％）における値である。
【００１３】
先ず、本発明者らは、上記した従来技術を踏まえ、色安定性を向上するための検討を行った。インクジェット用の水性インクに含有させる水溶性有機溶剤としては、吐出性などの各種の信頼性を確保するため、水よりも蒸気圧が低いものが選択される。このため、記録媒体に付与されたインクが十分に乾燥するまでには、通常、１日〜数日程度の時間を要する。
【００１４】
光沢紙などのコート層を有する記録媒体に染料インクを付与して記録した画像は、染料の多くがコート層（インク受容層）に存在する。そして、この染料が、所定波長の光を吸収することで発色する。記録媒体にインクが付与された直後は、記録媒体の厚さ方向において、液体成分の一部は染料よりも表面側に位置するため、光の一部は染料ではなく液体成分によって反射され、散乱光として認識される。その後、液体成分が浸透したり、乾燥したりする過程で、液体成分による反射が徐々に収まり、染料そのものの光の吸収特性が発揮されるようになる。インクが記録媒体に付与された直後と、ある程度時間が経った後とで、画像の色調が異なるという現象は上記のような理由から発生し、かかる現象が生ずる画像は「色安定性」が不十分であることになる。
【００１５】
普通紙などのコート層を有しない記録媒体や、アート紙などのような孔径の大きいコート層を有する記録媒体と比較して、光沢紙のような孔径の小さいコート層を有する記録媒体の場合は、液体成分の浸透により長い時間を要する。したがって、光沢紙などの記録媒体においては、色調が安定するまでにより長い時間を要し、色安定性が低くなりやすい傾向にある。
【００１６】
色安定性が低下する原因を踏まえると、インクが記録媒体に付与された後に、液体成分を速やかに厚さ方向に浸透させて、染料からの液離れを促進すれば、色調が安定するまでの時間を短縮することができると考えられる。そこで、本発明者らは、界面活性剤によりインクの静的表面張力を下げて、インクの浸透を促進すれば色安定性が向上する（色調が安定するまでの時間を短縮できる）と予測し、検討を行った。しかし、予測に反し、インクの表面張力を下げても、色安定性は向上しないことがわかった。
【００１７】
次いで、本発明者らは、インクの構成成分を種々に変化させて、物性と色安定性との関係を検討した。その結果、インクそのものではなく、水性媒体（水及び水溶性有機溶剤で構成され、界面活性剤などの添加剤を含まない混合物、詳細は後述する）の表面張力を低下させると、色安定性が向上する傾向にあることが判明した。さらに検討を進めたところ、光沢紙のような液体成分の浸透により長い時間を要し、色安定性が得られにくい記録媒体であっても、水性媒体の表面張力を４６．０ｍＮ／ｍ以下に調整すればよいことを見出した。これにより、液体成分が速やかに厚さ方向に浸透して、染料からの液離れが促進されるので、良好な色安定性が得られやすくなる。上述のような結果となった理由としては以下の２つが考えられる。
【００１８】
１つ目の理由について述べる。インクジェット用の水性インクは、通常、界面活性剤を含有する。インクが記録ヘッドから吐出されて、インク滴としての新たな気液界面が形成され、このインク滴が記録媒体に付着して浸透し始める過程で、インク滴の界面は大きく動く。新たな界面が形成されてから、この界面に界面活性剤が配向するまでにはおよそ数十ミリ秒〜数秒程度の時間を要し、このような短い時間においては、インク中の界面活性剤は液体の表面張力を下げる作用を示さない。このため、界面活性剤を利用してインクの表面張力を下げても、色安定性が向上しなかったと考えられる。
【００１９】
２つ目の理由について述べる。静的表面張力の測定方法として一般的なプレート法（Ｗｉｌｈｅｌｍｙ法）では、気液界面が安定した状況で表面張力を測定する。つまり、静的表面張力は、気体（空気）と液体との表面エネルギー差が大きく、インク中の界面活性剤が界面に配向しやすい条件で、表面張力を下げる作用が十分に発揮された状態での値である。一方、記録媒体へのインクの浸透は、記録媒体の構成材料とインクとのエネルギー差が小さく、界面活性剤が界面に配向しにくい状態で進行する。この条件は、記録媒体のなかでも特に光沢紙においては顕著である。つまり、記録媒体へのインクの浸透は、界面活性剤が界面に配向しにくく、表面張力を下げる作用が発揮できない状態で進行するので、液体成分の浸透速度に対しては、インクそのものではなく、水性媒体の表面張力による影響が支配的となる。
【００２０】
つまり、インクの構成成分のうち、水性媒体の表面張力γ０を４６．０ｍＮ／ｍ以下とすれば、液体成分が記録媒体の厚さ方向に速やかに浸透して、染料からの液離れが促進されるので、色安定性を向上することができる。一方、水性媒体の表面張力が４６．０ｍＮ／ｍ超であると、記録媒体への液体成分の浸透が速やかに進行しないので、色安定性は向上しない。
【００２１】
次に、本発明者らは、色安定性の向上のために水性媒体の表面張力を低下させたインクと、フェザリングとの関係について検討した。上述の通り、特許文献６及び７には、インクを構成する水性媒体の表面張力を調整することが記載されている。具体的には、特許文献６では、水性媒体の表面張力を４５ｍＮ／ｍ以上５７ｍＮ／ｍ以下に調整するとともに、寿命時間５０ｍ秒及び５００ｍ秒における動的表面張力の差を７ｍＮ／ｍ以上に調整した染料インクが提案されている。また、特許文献７には、水性媒体の静的表面張力を４０ｍＮ／ｍ以上６０ｍＮ／ｍ未満に調整した染料インクが提案されている。
【００２２】
本発明者らが、特許文献６及び７に記載された特性を満足するインクを調製し、検討を行ったところ、いずれもフェザリングは十分に抑制されているとは言えなかった。この理由は以下のように考えられる。
【００２３】
フェザリングが生じた画像を観察すると、ドットの形状が円形ではなく、いびつなものとなっていた。記録媒体にインクを付与して形成されるドットの形状は、記録媒体へのインクの濡れやすさと相関がある。インクと記録媒体とが接触した際に、インクの表面張力と記録媒体の表面エネルギーとの差が大きければ濡れやすく、小さければ濡れにくい。記録媒体の表面エネルギーは、マクロな視点で見れば全体的に均一であるが、ミクロな視点で見ると高低の分布があり、一様とはなっていない。この傾向は普通紙などのコート層を有しない記録媒体において特に顕著である。
【００２４】
表面エネルギーが高い領域と低い領域を有する記録媒体に、動的表面張力が時間の経過とともに低下するインク（特許文献６に記載されたインク）を付与すると、インクの動的表面張力及び記録媒体の表面エネルギーの関係に応じて、以下のような現象が生ずる。動的表面張力が高い状態のインクが、表面エネルギーが高い領域に接触した場合、エネルギー差が小さいため、インクは記録媒体に濡れにくい。また、動的表面張力が高い状態のインクが、表面エネルギーが低い領域に接触した場合、エネルギー差が大きいため、インクは記録媒体に濡れやすい。一方、動的表面張力が低くなった状態のインクが、表面エネルギーが高い領域に接触した場合、エネルギー差が大きいため、インクは記録媒体に濡れやすい。また、動的表面張力が低くなった状態のインクが、表面エネルギーが低い領域に接触した場合、エネルギー差が小さいため、インクは記録媒体に濡れにくい。これらのような状況が記録媒体の領域に応じて複雑に生じ、インクの濡れ性がばらついたため、ドットの形状がいびつになり、フェザリングが生じたと考えられる。
【００２５】
特許文献７に記載された、水性媒体の表面張力が調整されたインクも、時間の経過とともに動的表面張力が低下するため、上記と同様にドットの形状がいびつになり、フェザリングが生じたと考えられる。
【００２６】
上記を踏まえると、フェザリングを抑制するためには、色安定性の向上のための水性媒体の低表面張力化だけでなく、時間の経過に伴う動的表面張力の低下を抑制することが重要であるという結論に至った。短い寿命時間における動的表面張力は、前述した水性媒体の表面張力で近似することができ、ある程度の時間が経過した後の動的表面張力は、インクの表面張力に近似することができる。そして、これらの差を低減すれば、記録媒体の領域に応じた表面エネルギーの高低にかかわらずに、インクが記録媒体を濡らすことができるようになり、ドットの形状が円形に近づき、フェザリングを抑制することができる。種々の記録媒体について検討を行った結果、水性媒体の表面張力γ０及びインクの表面張力γＳの差を７．０ｍＮ／ｍ以下とすれば、フェザリングが抑制された画像を記録し得るインクとすることができることを見出した。一方、水性媒体の表面張力γ０及びインクの表面張力γＳの差が７．０ｍＮ／ｍ超であると、記録媒体へのインクの濡れが不均一になって、ドットの形状がいびつなものとなり、フェザリングを抑制することができない。
【００２７】
上記の２つの条件に加えて、インクの色材として特定の染料を用いることで、近年要求されるレベルの色安定性を満足するとともに、フェザリングが有効に抑制された画像を記録し得るインクとすることができる。
【００２８】
先に述べた通り、水性媒体の表面張力を低下させることで、液体成分が速やかに記録媒体に浸透し、染料の液離れが促進される。この際、色材として使用する染料が、後述する一般式（１）で表される化合物を含む場合、液離れとともに染料が速やかに会合するため、色安定性を高めることができる。つまり、水性媒体の表面張力γ０を４６．０ｍＮ／ｍ以下にするとともに、特定の染料を組み合わせることによって、近年要求されるレベルを満足し得る色安定性を達成することができる。
【００２９】
また、一般式（１）で表される化合物は、「芳香環−アゾ結合」の構造を少なくとも３つ有する。アゾ結合が多い染料は分子間水素結合を形成しやすい。また、一般式（１）で表される化合物は、少なくとも４つの芳香環を有し、これらはアゾ基で連結されている。アゾ基で連結された芳香環を多く持つ染料分子はπ−πスタッキングにより会合しやすい。一般式（１）で表される化合物は、このような構造上の特性を持つ。したがって、一般式（１）で表される化合物を用いることで、染料が大きな会合体を形成しやすく、記録媒体の濡れやすさのばらつきによる影響をより受けにくくなり、近年要求されるレベルを満足し得る程度にフェザリングを抑制することができる。
【００３０】
＜インク＞
本発明のインクは、特定の染料、水溶性有機溶剤、及び水で構成される水性媒体を含有し、水性媒体の表面張力γ０が４６．０ｍＮ／ｍ以下であり、水性媒体の表面張力γ０及びインクの表面張力γＳの差が７．０ｍＮ／ｍ以下である水性インクである。以下、本発明のインクを構成する成分やインクの物性について詳細に説明する。
【００３１】
（染料）
本発明の水性インクは、下記一般式（１）で表される化合物を含む染料（色材）を含有する。インク中の染料の含有量（質量％）は、インク全質量を基準として、０．１０質量％以上１０．００質量％以下であることが好ましく、１．００質量％以上６．００質量％以下であることがさらに好ましい。調色などのために、一般式（１）で表される化合物とは異なる構造の染料を併用してもよい。
【００３２】
【化１】
2020196773.tif 000002
【００３３】
（前記一般式（１）中、Ｒ１、Ｒ２、及びＲ３はそれぞれ独立に芳香環を表し、Ｒ４は、芳香環、又は複数の芳香環がアゾ結合で連結された基を表し、Ｒ１、Ｒ２、Ｒ３、及びＲ４における芳香環はそれぞれ独立に、ハロゲン原子、シアノ基、ヒドロキシ基、アニオン性基、アミノ基、スルファモイル基、アルキルアミノスルホニル基、アルキルスルホニル基、ニトロ基、アシル基、ウレイド基、アルキル基、アルコキシ基、アシルアミノ基、及びアルキルスルホニルアミノ基からなる群より選択される少なくとも１種の置換基により置換されていてもよい。）
染料として使用する一般式（１）で表される化合物のなかでも、下記一般式（２）で表される化合物が好ましい。一般式（２）で表される化合物は、テトラキスアゾ構造及び複数の芳香環を有するため、インクが付与された記録媒体において、複数の染料分子がπ−πスタッキングにより会合しやすくなり、フェザリングをより有効に抑制することができる。
【００３４】
【化２】
2020196773.tif 000003
【００３５】
（前記一般式（２）中、Ｒ５は、ハロゲン原子、シアノ基、ヒドロキシ基、アニオン性基、アミノ基、スルファモイル基、アルキルアミノスルホニル基、アルキルスルホニル基、ニトロ基、アシル基、ウレイド基、アルキル基、アルコキシ基、アシルアミノ基、又はアルキルスルホニルアミノ基を表し、Ｒ６は、水素原子、又はスルホン酸基を表し、ｎは、０又は１を表し、Ｍはそれぞれ独立に、水素原子、アルカリ金属、アンモニウム、又は有機アンモニウムを表し、Ｒ７は、芳香環を表し、前記芳香環は、ハロゲン原子、シアノ基、ヒドロキシ基、アニオン性基、アミノ基、スルファモイル基、アルキルアミノスルホニル基、アルキルスルホニル基、ニトロ基、アシル基、ウレイド基、アルキル基、アルコキシ基、アシルアミノ基、及びアルキルスルホニルアミノ基からなる群より選択される少なくとも１種の置換基により置換されていてもよい。）
染料として使用する一般式（１）で表される化合物のなかでも、下記一般式（３）で表される化合物が好ましい。一般式（３）で表される化合物は、一般式（２）の構造における分子末端がベンゼン環である化合物であり、π−πスタッキングによる会合がより効率よく生ずるため、フェザリングを特に有効に抑制することができる。
【００３６】
【化３】
2020196773.tif 000004
【００３７】
（前記一般式（３）中、Ｒ５は、ハロゲン原子、シアノ基、ヒドロキシ基、アニオン性基、アミノ基、スルファモイル基、アルキルアミノスルホニル基、アルキルスルホニル基、ニトロ基、アシル基、ウレイド基、アルキル基、アルコキシ基、アシルアミノ基、又はアルキルスルホニルアミノ基を表し、Ｒ６及びＲ８はそれぞれ独立に、水素原子、又はスルホン酸基を表し、ｎは、０又は１を表し、Ｍはそれぞれ独立に、水素原子、アルカリ金属、アンモニウム、又は有機アンモニウムを表す。）
一般式（１）、一般式（２）、及び一般式（３）における各基について説明する。各基におけるアルキル部分の炭素数は、１乃至４であることが好ましい。また、各基における炭素原子が、置換され得る水素原子を持つ場合、当該炭素原子は置換されていてもよく、この場合の置換基としては、ヒドロキシ基、アルコキシ基、アニオン性基（カルボン酸基、スルホン酸基、リン酸基、ホスホン酸基）などが挙げられる。
【００３８】
芳香環としては、非複素芳香環、複素芳香環が挙げられ、単環及び縮合環のいずれであってもよい。非複素芳香環としては、例えば、ベンゼン環、ナフタレン環が挙げられる。複素芳香環は窒素原子や硫黄原子を構成原子として持つ芳香環であり、例えば、ピロール環、ピラゾール環、イミダゾール環、ピリジン環、チオフェン環、チアゾール環などが挙げられる。
【００３９】
ハロゲン原子としては、フッ素原子、塩素原子、臭素原子、ヨウ素原子などが挙げられる。
【００４０】
アニオン性基としては、カルボン酸基、スルホン酸基、リン酸基、ホスホン酸基などが挙げられる。アニオン性基は、遊離酸型（Ｈ型）であってもよく、塩型であってもよい。アニオン性基が塩型である場合（塩を形成する場合）のカウンターイオンとしては、アルカリ金属、アンモニウム、有機アンモニウムが挙げられる。一般式（２）及び一般式（３）におけるＭは、上記アニオン性基のカウンターイオンと同様の位置づけであり、水素原子、アルカリ金属、アンモニウム、又は有機アンモニウムである。カウンターイオンの少なくとも一部は、インク中ではイオンに解離して存在し得る。
【００４１】
アルキルアミノスルホニル基としては、Ｎ−メチルアミノスルホニル基、Ｎ−エチルアミノスルホニル基、Ｎ−（ｎ−ブチル）アミノスルホニル基、Ｎ，Ｎ−ジメチルアミノスルホニル基、Ｎ，Ｎ−ジ（ｎ−プロピル）アミノスルホニル基などが挙げられる。
【００４２】
アルキルスルホニル基としては、メチルスルホニル、エチルスルホニル、プロピルスルホニル、ブチルスルホニルなどの無置換アルキルスルホニル基；ヒドロキシエチルスルホニル、２−ヒドロキシプロピルスルホニルなどの置換アルキルスルホニル基などが挙げられる。
【００４３】
アシル基としては、アセチル、プロピオニル、ブチリル、イソブチリルなどが挙げられる。
【００４４】
アルキル基としては、メチル、エチル、ｎ−プロピル、イソプロピル、ｎ−ブチル、イソブチル、ｓｅｃ−ブチル、ｔｅｒｔ−ブチルなどの無置換アルキル基；２−ヒドロキシエチル、メトキシエチル、などの置換アルキル基などが挙げられる。
【００４５】
アルコキシ基としては、メトキシ、エトキシ、ｎ−プロポキシ、イソプロポキシ、ｎ−ブトキシ、ｓｅｃ−ブトキシ、ｔｅｒｔ−ブトキシなどの無置換アルコキシ基；２−ヒドロキシエトキシ、メトキシエトキシ、カルボキシメトキシ、３−スルホプロポキシなどの置換アルコキシ基などが挙げられる。
【００４６】
アシルアミノ基としては、アセチルアミノ、プロピオニルアミノ、ブチリルアミノ、イソブチリルアミノなどが挙げられる。
【００４７】
アルキルスルホニルアミノ基としては、メチルスルホニルアミノ、エチルスルホニルアミノ、プロピルスルホニルアミノなどが挙げられる。
【００４８】
一般式（１）で表される化合物の好適例を遊離酸型で表すと、以下に示す例示化合物１〜８が挙げられる。勿論、本発明においては、一般式（１）の構造及びその定義に包含されるものであれば、一般式（１）で表される化合物は以下に示す例示化合物に限定されない。本発明においては、以下に示す例示化合物のなかでも例示化合物１、３、５、７が好ましく、例示化合物１、３がさらに好ましく、例示化合物１が特に好ましい。
【００４９】
【化４】
2020196773.tif 000005
【００５０】
【化５】
2020196773.tif 000006
【００５１】
【化６】
2020196773.tif 000007
【００５２】
【化７】
2020196773.tif 000008
【００５３】
【化８】
2020196773.tif 000009
【００５４】
【化９】
2020196773.tif 000010
【００５５】
【化１０】
2020196773.tif 000011
【００５６】
【化１１】
2020196773.tif 000012
【００５７】
（表面張力）
本発明のインクは、（ｉ）水及び水溶性有機溶剤で構成される水性媒体の表面張力γ０が４６．０ｍＮ／ｍ以下である、（ｉｉ）水性媒体の表面張力γ０及びインクの表面張力γＳの差が７．０ｍＮ／ｍ以下である、ことを要する。
【００５８】
本発明において、色安定性の観点で表面張力を規定する対象とするのは、インクそのものの表面張力ではなく、インク中の「水及び水溶性有機溶剤の混合物である水性媒体」の表面張力である。この水性媒体は、染料や、界面活性剤などの添加剤は含まず、水及び水溶性有機溶剤のみで構成されるものである。一般式（１）で表される化合物（染料）を含有するインク中の水性媒体の表面張力γ０が４６．０ｍＮ／ｍ以下であると、優れた色安定性が得られる。一方、水性媒体の表面張力γ０が４６．０ｍＮ／ｍ超であると、色安定性が不十分になる。水性媒体の表面張力γ０は、２５．０ｍＮ／ｍ以上であることが好ましく、３０．０ｍＮ／ｍ以上であることがさらに好ましい。水性媒体の表面張力γ０は、水溶性有機溶剤の種類や含有量を適宜設定することで調整することができる。
【００５９】
また、一般式（１）で表される化合物（染料）を含有するインクについて、水性媒体の表面張力γ０及びインクの表面張力γＳの差が７．０ｍＮ／ｍ以下であると、フェザリングを有効に抑制することができる。一方、水性媒体の表面張力γ０及びインクの表面張力γＳの差が７．０ｍＮ／ｍ未満であると、フェザリングを抑制することができない。インクの表面張力γＳは、２５．０ｍＮ／ｍ以上４６．０ｍＮ／ｍ以下であることが好ましく、３０．０ｍＮ／ｍ以上４０．０ｍＮ／ｍ以下であることがさらに好ましい。インクの表面張力γＳは、界面活性剤や水溶性有機溶剤の種類や含有量を適宜設定することで調整することができる。
【００６０】
水性媒体及びインクの表面張力は、プレート法により２５℃において測定した「静的」表面張力である。インクから水性媒体の表面張力を知りたい場合、以下の手順で測定することができる。例えば、ガスクロマトグラフィーなどにより水溶性有機溶剤の種類や含有量を、また、カールフィッシャー水分計などにより水の含有量を分析して、同様の組成を有する水性媒体を調製して表面張力を測定すればよい。具体的には、例えば、インク１ｇを分取して、メタノールで所定の倍率に希釈したサンプルを、ガスクロマトグラフィーなどを用いて分析することによって、水溶性有機溶剤の種類やその含有量を同定することができる。また、インク中の水の含有量は、カールフィッシャー水分計などにより、常法にしたがって同定することができる。表面張力の測定は、白金プレートを用いたプレート法により行うことができる。本発明は、上記で挙げた測定方法や測定装置などに限られるものではなく、いずれの方法も用いることができる。
【００６１】
（アルカンジオール）
インクに含有させる水溶性有機溶剤は、アルカンジオールを含むことが好ましい。アルカンジオールとは、飽和の炭化水素鎖の２つの水素原子がヒドロキシ基で置換された化合物であり、炭化水素鎖は直鎖及び分岐鎖のいずれであってもよい。アルカンジオールの炭化水素鎖部分は疎水性相互作用により染料の主骨格（アニオン性基などの親水性基以外の構造）に配向するとともに、ヒドロキシ基が染料の親水性基と相互作用する。これにより、インクが記録媒体に付与された後に、染料からの水離れが促進されやすくなり、色安定性をさらに向上することができる。なお、アルカンジオールの一部は、後述する「第１水溶性有機溶剤」の定義にも該当する。インク中のアルカンジオールの含有量（質量％）は、インク全質量を基準として、０．１０質量％以上１０．００質量％以下であることが好ましく、０．５０質量％以上５．００質量％以下であることがさらに好ましい。
【００６２】
１価アルコール類の場合は染料の親水性基との相互作用が弱く、色安定性をさらに向上する効果が十分に得られない場合がある。また、３価以上のアルコール類の場合は、ヒドロキシ基による親水性に比して炭化水素鎖の疎水性が弱まるので染料との疎水性相互作用が弱く、染料からの水離れを促進する作用が弱いので、色安定性をさらに向上する効果が十分に得られない場合がある。
【００６３】
（第１水溶性有機溶剤：ＬｏｇＰ値が−０．５６以上の水溶性有機溶剤）
インクに含有させる水溶性有機溶剤は、ＬｏｇＰ値が−０．５６以上の第１水溶性有機溶剤を含有することが好ましい。詳細は後述するが、ＬｏｇＰ値は化合物の極性を示す指標であり、この値が大きいほど極性が低いことを示す。記録媒体にインクが付与された後、低極性の水溶性有機溶剤は染料分子の周辺に配向しやすく、水溶性有機溶剤の分子を中心として複数の染料分子が会合することで、染料からの水離れが促進されやすくなり、色安定性をさらに向上することができる。インク中の第１水溶性有機溶剤の含有量（質量％）は、インク全質量を基準として、０．１０質量％以上１０．００質量％以下であることが好ましく、０．５０質量％以上５．００質量％以下であることがさらに好ましい。
【００６４】
水溶性有機溶剤の極性を示す指標とするＬｏｇＰ（Ｌｏｇ  Ｐｏｗ）について説明する。ＬｏｇＰとは、水と１−オクタノールの分配係数のことをいう。ＬｏｇＰは対象物質の水へのなじみやすさに関連する物性値であり、この値が大きいほど極性は低くなる。ＬｏｇＰは、ＬｏｇＰ＝Ｌｏｇ１０Ｃｏ／Ｃｗ（Ｃｏは１−オクタノール相中の対象物質の濃度を表し、Ｃｗは水相中の対象物質の濃度を表す）の関係式により算出される。ＬｏｇＰは、ＪＩＳ  Ｚ  ７２６０−１０７に記載の方法で実験的に求めることもできる。また、商品名「ＡＣＤ／ＰｈｙｓＣｈｅｍ  Ｓｕｉｔｅ」（ＡＣＤ／Ｌａｂｓ製）などの市販の計算ソフトを利用して求めることもできる。後述する実施例においては、商品名「ＡＣＤ／ＰｈｙｓＣｈｅｍ  Ｓｕｉｔｅ  Ｖｅｒｓｉｏｎ  １２．００」（ＡＣＤ／Ｌａｂｓ製）を使用して求めた値を採用した。
【００６５】
第１水溶性有機溶剤の具体例としては、１，５−ペンタンジオール（−０．５６）、３−メチル−１，５−ペンタンジオール（−０．２１）、１，６−ヘキサンジオール（−０．０５）、イソプロパノール（０．１８）、トリエチレングリコールモノブチルエーテル（０．３６）、１，２−ヘキサンジオール（０．５２）、ジエチレングリコールモノブチルエーテル（０．６０）、エチレングリコールモノブチルエーテル（０．８３）などが挙げられる（括弧内の数値は２５℃におけるＬｏｇＰ値である）。第１水溶性有機溶剤としては、２５℃における蒸気圧が水よりも低いものを用いることが好ましい。
【００６６】
第１水溶性有機溶剤はアルカンジオールであることが好ましい。アルカンジオールである第１水溶性有機溶剤としては、１，５−ペンタンジオール（−０．５６）、３−メチル−１，５−ペンタンジオール（−０．２１）、１，６−ヘキサンジオール（−０．０５）、１，２−ヘキサンジオール（０．５２）などが挙げられる。
【００６７】
インク中の第１水溶性有機溶剤の含有量（質量％）は、インク全質量を基準として、０．１０質量％以上１０．００質量％以下であることが好ましく、０．５０質量％以上５．００質量％以下であることが好ましい。インク中の、第１水溶性有機溶剤の含有量（質量％）は、染料の含有量（質量％）に対する質量比率で、０．２０倍以上１．００倍以下であることが好ましい。前記質量比率が０．２０倍未満であると、染料に比べて第１水溶性有機溶剤が少ないため、染料分子が十分に会合せず、色安定性をさらに向上する効果が十分に得られない場合がある。一方、前記質量比率が１．００倍超であると、染料に比べて第１水溶性有機溶剤が多すぎるため、複数の染料分子の会合が妨げられやすくなり、色安定性をさらに向上する効果が十分に得られない場合がある。
【００６８】
（水性媒体）
本発明のインクには、水及び水溶性有機溶剤の混合溶媒である水性媒体を含有させる。通常「水溶性有機溶剤」とは液体を意味するが、本発明においては、２５℃（常温）で固体であるものも水溶性有機溶剤に含めることとする。水性インクに汎用な２５℃で固体の水溶性有機溶剤の具体例としては、１，６−ヘキサンジオール、トリメチロールプロパン、エチレン尿素、尿素、数平均分子量１，０００のポリエチレングリコールなどが挙げられる。
【００６９】
水溶性有機溶剤は、水溶性であれば特に制限はなく、アルコール、多価アルコール、ポリグリコール、グリコールエーテル、含窒素極性溶媒、含硫黄極性溶媒などを用いることができる。インク中の水溶性有機溶剤の含有量（質量％）は、インク全質量を基準として、５．０質量％以上９０．０質量％以下、さらには１０．０質量％以上５０．０質量％以下であることが好ましい。この含有量は、必要に応じて使用し得るアルカンジオールや第１水溶性有機溶剤を含む値である。
【００７０】
水溶性有機溶剤の具体例（アルカンジオール、第１水溶性有機溶剤を含む）としては、メタノール、エタノール、ｎ−プロパノール、イソプロパノール（０．１８）、ｎ−ブタノール、ｓｅｃ−ブタノール、ｔｅｒｔ−ブタノールなどの炭素数１乃至４の１価アルコール類；１，２−プロパンジオール（−１．０１）、１，３−プロパンジオール（−１．０９）、１，３−ブタンジオール、１，４−ブタンジオール（−０．７７）、１，５−ペンタンジオール（−０．５６）、１，２−ヘキサンジオール（０．５２）、１，６−ヘキサンジオール（−０．０５）、２−メチル−１，３−プロパンジオール、３−メチル−１，３−ブタンジオール、３−メチル−１，５−ペンタンジオール（−０．２１）、２−エチル−１，３−ヘキサンジオールなどの２価アルコール類；１，２，６−ヘキサントリオール（−１．３９）、グリセリン（−１．８５）、トリメチロールプロパン（−０．９７）、トリメチロールエタンなどの多価アルコール類；エチレングリコール（−１．３６）、ジエチレングリコール（−１．４１）、トリエチレングリコール（−１．６５）、テトラエチレングリコール（−１．８８）、ブチレングリコール、ヘキシレングリコール、チオジグリコールなどのアルキレングリコール類；エチレングリコールモノブチルエーテル（０．８３）、ジエチレングリコールモノブチルエーテル（０．６０）、トリエチレングリコールモノブチルエーテル（０．３６）などのグリコールエーテル類；数平均分子量２００のポリエチレングリコール（−１．８８）、同４００のポリエチレングリコール（−２．８２）、同１，０００のポリエチレングリコール（−６．３５）、ポリプロピレングリコールなどの数平均分子量２００乃至１，０００のポリアルキレングリコール類；２−ピロリドン（−１．０９）、Ｎ−メチル−２−ピロリドン（−０．６４）、１−（２−ヒドロキシエチル）−２−ピロリドン、１，３−ジメチル−２−イミダゾリジノン、Ｎ−メチルモルホリン、尿素（−１．６６）、エチレン尿素（−１．２４）、トリエタノールアミン、１−ヒドロキシメチル−５，５−ジメチルヒダントイン、１，３−ビス（２−ヒドロキシエチル）−５，５−ジメチルヒダントインなどの含窒素化合物類；ジメチルスルホキシド、ビス（２−ヒドロキシエチルスルホン）（−１．８６）などの含硫黄化合物類；γ−ブチロラクトン（−０．６３）などの環状エーテル類などが挙げられる（括弧内の数値はＬｏｇＰ値である）。水溶性有機溶剤としては、ＬｏｇＰ値が−１０．００以上１．００以下の範囲内のものを用いることが好ましい。また、インクに含有させる水溶性有機溶剤としては、２５℃における蒸気圧が水よりも低いものを用いることが好ましい。
【００７１】
水は、脱イオン水（イオン交換水）を用いることが好ましい。インク中の水の含有量（質量％）は、インク全質量を基準として、１０．０質量％以上９０．０質量％以下であることが好ましい。水溶性有機溶剤及び水の含有量は、水性媒体やインクの表面張力を所望とする範囲内に調整するために適宜決定することが好ましい。
【００７２】
（添加剤）
本発明のインクは、上記した成分以外にも必要に応じて、界面活性剤、ｐＨ調整剤、防錆剤、防腐剤、防黴剤、酸化防止剤、還元防止剤、蒸発促進剤、キレート化剤、及び水溶性樹脂など、種々の添加剤を含有してもよい。なお、本発明においては、これらの添加剤は「水溶性有機溶剤」に含めず、「水性媒体の表面張力γ０」を測定する対象としない。
【００７３】
インクの表面張力は界面活性剤により調整することもできる。界面活性剤としては、炭化水素系、フッ素系、シリコーン系などの各種の構造を有する、ノニオン性界面活性剤を用いることが好ましい。界面活性剤の含有量は、インクの表面張力を所望とする範囲内に調整するために適宜決定することができる。インク中の界面活性剤の含有量（質量％）は、インク全質量を基準として、０．０１質量％以上１．００質量％以下であることが好ましく、０．０５質量％以上０．５０質量％以下であることがさらに好ましい。
【００７４】
＜インクカートリッジ＞
本発明のインクカートリッジは、インクと、このインクを収容するインク収容部とを備える。そして、このインク収容部に収容されているインクが、上記で説明した本発明の水性インクである。図１は、本発明のインクカートリッジの一実施形態を模式的に示す断面図である。図１に示すように、インクカートリッジの底面には、記録ヘッドにインクを供給するためのインク供給口１２が設けられている。インクカートリッジの内部はインクを収容するためのインク収容部となっている。インク収容部は、インク収容室１４と、吸収体収容室１６とで構成されており、これらは連通口１８を介して連通している。また、吸収体収容室１６はインク供給口１２に連通している。インク収容室１４には液体のインク２０が収容されており、吸収体収容室１６には、インクを含浸状態で保持する吸収体２２及び２４が収容されている。インク収容部は、液体のインクを収容するインク収容室を持たず、収容されるインク全量を吸収体により保持する形態であってもよい。また、インク収容部は、吸収体を持たず、インクの全量を液体の状態で収容する形態であってもよい。さらには、インク収容部と記録ヘッドとを有するように構成された形態のインクカートリッジとしてもよい。
【００７５】
＜インクジェット記録方法＞
本発明のインクジェット記録方法は、上記で説明した本発明の水性インクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。本発明においては、インクに熱エネルギーを付与してインクを吐出する方式を採用することが特に好ましい。本発明のインクを用いること以外、インクジェット記録方法の工程は公知のものとすればよい。
【００７６】
図２は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【００７７】
以下、実施例及び比較例を挙げて本発明をさらに詳細に説明するが、本発明は、その要旨を超えない限り、下記の実施例によって何ら限定されるものではない。成分量に関して「部」及び「％」と記載しているものは特に断らない限り質量基準である。
【００７８】
＜色材の合成＞
（化合物Ａ）
特許文献２の記載を参考にして、遊離酸型として下記式（Ａ）で表される化合物を合成した。その後、常法にしたがってイオン交換を行い、ナトリウム塩型の化合物（この化合物を「化合物Ａ」と記載する）を得た。
【００７９】
【化１２】
2020196773.tif 000013
【００８０】
（化合物Ｂ）
特許文献３の記載を参考にして、遊離酸型として下記式（Ｂ）で表される化合物を合成した。その後、常法にしたがってイオン交換を行い、ナトリウム塩型の化合物（この化合物を「化合物Ｂ」と記載する）を得た。
【００８１】
【化１３】
2020196773.tif 000014
【００８２】
（化合物Ｃ）
国際公開２０１２／０８１６４０号の記載を参考にして、遊離酸型として下記式（Ｃ）で表される化合物を合成した。その後、常法にしたがってイオン交換を行い、ナトリウム塩型の化合物（この化合物を「化合物Ｃ」と記載する）を得た。
【００８３】
【化１４】
2020196773.tif 000015
【００８４】
（化合物Ｄ）
国際公開２００７／０７７９３１号の記載を参考にして、遊離酸型として下記式（Ｄ）で表される化合物を合成した。その後、常法にしたがってイオン交換を行い、ナトリウム塩型の化合物（この化合物を「化合物Ｄ」と記載する）を得た。
【００８５】
【化１５】
2020196773.tif 000016
【００８６】
（比較化合物Ｅ）
国際公開２００６／００１２７４号の記載を参考にして、遊離酸型として下記式（Ｅ）で表される化合物を合成した。その後、常法にしたがってイオン交換を行い、ナトリウム塩型の化合物（この化合物を「比較化合物Ｅ」と記載する）を得た。
【００８７】
【化１６】
2020196773.tif 000017
【００８８】
＜インクの調製＞
表１〜３の上段に示す各成分（単位：％）を混合し、十分に撹拌した後、ポアサイズ０．２０μｍのフィルターで加圧ろ過して各インクを調製した。水溶性有機溶剤に付したカッコ内の数値はＬｏｇＰ値である。表１〜３中の「アセチレノールＥ１００」（川研ファインケミカル製）、「サーフィノール１０５」（日信化学工業製）、及び「ＥＭＡＬＥＸ１８１０」（日本エマルジョン製）は、いずれも、ノニオン性界面活性剤の商品名である。表１〜３の下段には、インクの特性を示した。水性媒体及びインクの表面張力（静的表面張力）は、自動表面張力計（商品名「ＣＢＶＰ−Ｚ型」、協和界面科学製）を用いて測定した。
【００８９】
【表１】
2020196773.tif 000018
【００９０】
【表２】
2020196773.tif 000019
【００９１】
【表３】
2020196773.tif 000020
【００９２】
＜評価＞
上記で得られた各インクをそれぞれインクカートリッジに充填し、熱エネルギーの作用により記録ヘッドからインクを吐出するインクジェット記録装置（商品名「ＰＩＸＵＳ  ｉＰ８６００」、キヤノン製）に搭載した。本実施例においては、１／２４００インチ×１／１２００インチの単位領域に２．５ｐＬのインクを付与して記録したベタ画像を「記録デューティが１００％である」と定義する。本発明においては、下記の各項目の評価基準で、「Ｃ」を許容できないレベル、「ＡＡ」、「Ａ」、及び「Ｂ」を許容できるレベルとした。評価結果を表４に示す。
【００９３】
（色安定性）
上記のインクジェット記録装置を用いて、記録媒体（光沢紙、商品名「キヤノン写真用紙・光沢  プロ［プラチナグレード］」、キヤノン製）に、記録デューティが１００％であるベタ画像を記録して記録物を得た。記録の５分後に、ベタ画像について、Ｌ＊、ａ＊、及びｂ＊を測定した（これを「Ｌ１＊、ａ１＊、及びｂ１＊」とする）。次いで、この記録物を温度２３℃、相対湿度５５％の環境に１週間載置した後、同様にベタ画像について、Ｌ＊、ａ＊、及びｂ＊を測定した（これを「Ｌ２＊、ａ２＊、及びｂ２＊」とする）。Ｌ＊、ａ＊、及びｂ＊は、ＣＩＥ（国際照明委員会）により規定されたＬ＊ａ＊及びｂ＊表示系における値であり、分光光度計（商品名「Ｓｐｅｃｔｏｒｏｌｉｎｏ」、Ｇｒｅｔａｇ  Ｍａｃｂｅｔｈ製）を用いて、光源：Ｄ５０、視野：２°の条件で測定した。そして、測定した各値から、色差ΔＥ＝｛（Ｌ１＊−Ｌ２＊）２＋（ａ１＊−ａ２＊）２＋（ｂ１＊−ｂ２＊）２｝１／２を算出した。このようにして得られたΔＥから、以下に示す評価基準にしたがって耐湿性を評価した。ΔＥが小さいほど、記録直後（５分後）及び一定時間経った後（１週間後）の色変化が少なく、色安定性が優れることを示す。
【００９４】
Ａ：色差が３．０以下であった
Ｂ：色差が３．０を超えて４．０以下であった
Ｃ：色差が４．０を超えていた。
【００９５】
（フェザリング）
上記のインクジェット記録装置を用いて、記録媒体（普通紙、商品名「ＰＢ  Ｐａｐｅｒ  ＧＦ５００」、キヤノン製）に、記録デューティが１００％である、太さ３６ポイントの罫線を記録した。その後、Ｐｅｒｓｏｎａｌ  ＩＡＳ（Ｑｕａｌｉｔｙ  Ｅｎｇｉｎｅｅｒｉｎｇ  Ａｓｓｏｃｉａｔｅｓ製）を用いて、罫線のエッジ部分について、ラジェッドネス値を測定し、以下に示す評価基準にしたがってフェザリングを評価した。ラジェッドネス値とは、文字や罫線などの画像の境界部（端部）の粗さの状態を標準偏差により表す指標であり、ラジェッドネス値が小さいほど粗さが低減されていることを示す。
【００９６】
Ａ：ラジェッドネス値が２０未満であった
Ｂ：ラジェッドネス値が２０以上２２未満であった
Ｃ：ラジェッドネス値が２２以上であった。
【００９７】
【表４】
2020196773.tif 000021
【図１】
2020196773.tif 000025
【図２】
2020196773.tif 000026